(57)【要約】 【課題】シートの曲面部分において縫い代でつなぎ合わせられてシングル・ステッチ掛けされた表皮部分に生ずるうねりやシングル・ステッチ・ラインの蛇行を防止でき、そして、見映えを向上する。 【解決手段】二枚の表皮片１１、１２の一方の縫い代１７が、その二枚の表皮片１１、１２の他方の縫い代１８よりも短く重ね合わせられて縫い合わせられ、その両縫い代１７、１８が、その短い縫い代１７をその長い縫い代１８の内側にするようにその縫い合わせられた二枚の表皮片１１、１２の裏面１５、１６側において折り曲げられ、そして、その一方の表皮片１１が、その短い縫い代１７の端末付近で縫いとじられるようにシングル・ステッチ２１でその両縫い代に縫い付けられる。 【選択図】図２
2006116059.tif 000002
【特許請求の範囲】
【請求項１】
二枚の表皮片の一方の縫い代が、その二枚の表皮片の他方の縫い代よりも短く重ね合わせられて縫い合わせられ、その両縫い代が、その短い縫い代をその長い縫い代の内側にするようにその縫い合わせられた二枚の表皮片の裏面側において折り曲げられ、そして、その一方の表皮片が、その短い縫い代の端末付近で縫いとじられるようにシングル・ステッチでその両縫い代に縫い付けられるところの自動車シートに用いる表皮。 
【発明の詳細な説明】
【技術分野】
【０００１】
この発明は、自動車シートに用いる表皮に関し、そして詳細には、シートの曲面部分の仕上がりを改善するところの自動車シートに用いる表皮に関する。 
【背景技術】
【０００２】
自動車シートは、表皮にシングル・ステッチを施して意匠効果を得る場合がある。 
この種の表皮では、互いに隣り合う二枚の表皮片が互いに表面を重ね合わせて両方の縫い代を縫ってつなぎ合わせられ、そして、その二枚の表皮片の一方がその縫い合わせられた両縫い代側に折り曲げられてシングル・ステッチでその両縫い代に縫い付けられるので、その表皮がシート・フレームに組み付けられたパッドに被せられてそのシート・フレームに止められると、その表皮はそのシートの曲面部分においてうねりを生じ、また、そのシングル・ステッチ・ラインに蛇行を生じて見映えが悪くなる。 
【特許文献１】特開２００１−２６９４９３公報
【発明の開示】
【発明が解決しようとする課題】
【０００３】
この発明の課題は、シートの曲面部分において縫い代でつなぎ合わせられてシングル・ステッチ掛けされた表皮部分に生ずるうねりやシングル・ステッチ・ラインの蛇行を防止でき、そして、見映えを向上するところの自動車シートに用いる表皮の提供にある。 
【課題を解決するための手段】
【０００４】
この発明は、二枚の表皮片の一方の縫い代が、その二枚の表皮片の他方の縫い代よりも短く重ね合わせられて縫い合わせられ、その両縫い代が、その短い縫い代をその長い縫い代の内側にするようにその縫い合わせられた二枚の表皮片の裏面側において折り曲げられ、そして、その一方の表皮片が、その短い縫い代の端末付近で縫いとじられるようにシングル・ステッチでその両縫い代に縫い付けられる。 
【発明の効果】
【０００５】
この発明では、二枚の互いに継ぎ合わせられる表皮片の一方の縫い代がその二枚の表皮片の他方の縫い代よりも短く重ね合わせられて縫い合わせられるので、その一方の表皮片の縫い代残りが僅かになってその縫い代の歪が解消され、そして、シートの曲面部分において縫い代でつなぎ合わせられてシングル・ステッチ掛けされた表皮部分に生ずるうねりやシングル・ステッチ・ラインの蛇行が防止され、そして、見映えが良くなる。 
【発明を実施するための最良の形態】
【０００６】
その二枚の表皮片の一方の縫い代が、その二枚の表皮片の他方の縫い代のほぼ半分の長さに設定される。 
【実施例１】
【０００７】
以下、特定されて図示された具体例に基づいて、この発明の自動車シートに用いる表皮を説明するに、図１ないし図４は、乗用車のフロント・シートのシート・バック３０に活用されるところのこの発明の自動車シートに用いる表皮の具体例１０を示し、そして、その表皮１０では、互いに隣り合う二枚の互いに継ぎ合わせられる表皮片１１、１２の一方の縫い代１７が、その二枚の表皮片１１、１２の他方の縫い代１８よりも短く重ね合わせられて縫い合わせられ、その両縫い代１７、１８が、その短い縫い代１７をその長い縫い代１８の内側にするようにその縫い合わせられた二枚の表皮片１１、１２の裏面１５、１６側において折り曲げられ、そして、その一方の表皮片１１が、その短い縫い代１７の端末付近で縫いとじられるようにシングル・ステッチ２１でその両縫い代１７、１８に縫い付けられる。 
【０００８】
その二枚の表皮片１１、１２は、先ず、図３に示されたように互いに表面１３、１４を重ね合わせ、縫い代治具４０にその表皮片１１、１２の縫い代端末１９、２０を突き合わせてその短い縫い代１７がその長い縫い代１８のほぼ半分の長さになるところでその表皮片１１、１２がミシン掛けされてつなぎ合わせられ、次に、その表皮片１１、１２が図４に示されたようにその重ね合わせ状態から広げられてその両縫い代１７、１８がその短い縫い代１７をその長い縫い代１８の内側にするようにその縫い合わせられて広げられた二枚の表皮片１１、１２の裏面１３、１４側において折り曲げられ、そして、その一方の表皮片１１がその短い縫い代１７の端末付近で縫いとじられるようにそのシングル・ステッチ２１でその両縫い代１７、１８にミシン縫いされる。 
【０００９】
したがって、この表皮１０では、その一方の表皮片１１のその縫い代残りが僅かになるので、その表皮片１１のその縫い代１７の歪が解消され、そして、そのシート・バック３０の曲面部分３１においてそのシングル・ステッチ２１で縫いとじられた表皮部分２２に生ずるうねりやシングル・ステッチ・ラインの蛇行が解消されて見映えが良くなり、そして、それに伴ってそのシート・バック３０も見映えが向上される。 
【００１０】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００１１】
上述から理解されるように、この発明の自動車シートに用いる表皮は、二枚の表皮片の一方の縫い代が、その二枚の表皮片の他方の縫い代よりも短く重ね合わせられて縫い合わせられ、その両縫い代が、その短い縫い代をその長い縫い代の内側にするようにその縫い合わせられた二枚の表皮片の裏面側において折り曲げられ、そして、その一方の表皮片が、その短い縫い代の端末付近で縫いとじられるようにシングル・ステッチでその両縫い代に縫い付けられるので、この発明の自動車シートに用いる表皮では、その一方の表皮片のその縫い代残りが僅かになってその表皮片のその縫い代の歪が解消され、そして、そのシートの曲面部分においてシングル・ステッチ掛けされた表皮部分に生ずるうねりやシングル・ステッチ・ラインの蛇行が解消されて見映えが良くなり、そして、それに伴ってそのシートも見映えが向上され、その結果、自動車シートにとって非常に有用で実用的である。 
【図面の簡単な説明】
【００１２】
【図１】この発明の自動車シートに用いる表皮の具体例で覆われた乗用車のフロント・シートのシート・バックを示した斜視図である。
【図２】図１の２−２線に沿って示した断面図である。
【図３】縫い代治具を用いて二枚の表皮片の一方に短い縫い代を、その二枚の表皮片の他方に長い縫い代をそれぞれ決める作業を示した断面図である。
【図４】その一方の表皮片がその両縫い代に縫いとじられるところのシングル・ステッチ作業を示した断面図である。
【符号の説明】
【００１３】
１１    表皮片 
１２    表皮片 
１３    表面 
１４    表面 
１５    裏面 
１６    裏面 
１７    縫い代／短い縫い代 
１８    縫い代／長い縫い代 
１９    縫い代端末 
２０    縫い代端末 
２１    シングル・ステッチ 
２２    表皮部分 
３０    シート・バック 
３１    曲面部分 
４０    縫い代治具 
【図１】
2006116059.tif 000003
【図２】
2006116059.tif 000004
【図３】
2006116059.tif 000005
【図４】
2006116059.tif 000006